(57)【特許請求の範囲】
【請求項１】
コンテンツを記録する記録手段を備えた放送受信機において、
ユーザによる前記コンテンツの記録命令を受信する入力手段と、
前記コンテンツを受信するコンテンツ受信手段と、
前記コンテンツより、少なくとも前記コンテンツのコピーの可不可に関する情報を含むコピー制御情報を検出するコピー情報検出手段と、
前記コピー制御情報より、前記コンテンツのコピーの可不可を判別し、コピー可能と判定された時点で転送命令を送出する判別手段と、
前記記録命令に応じて前記コンテンツを記録し、前記転送命令がなされたときのみ前記コンテンツを出力するユーザ読み出し不可能な第１の記録手段と、
前記転送命令に応じて前記第１の記録手段から転送される前記コンテンツを受信して記録するユーザ読み出し可能な第２の記録手段と、
を有することを特徴とする放送受信機。
【請求項２】
複数の入力コンテンツを入力し、前記ユーザの選択に応じて出力する前記入力コンテンツを選択し、前記入力コンテンツから前記第１の記録手段へ記録する前記コンテンツを選択する信号出力制御手段を有することを特徴とする請求項１記載の放送受信機。
【請求項３】
複数の前記コピー制御情報に対応した複数の前記コピー情報検出手段を有し、前記判別手段によりいずれか１つの前記コピー情報検出手段からの前記コピー制御情報がコピー不可となった場合に、その他の前記コピー情報検出手段の動作を停止させる停止手段を有することを特徴とする請求項１記載の放送受信機。
【請求項４】
前記判別手段で判断する前記コピーの可不可に関する情報を表示する表示手段を有することを特徴とする請求項１記載の放送受信機。
【請求項５】
少なくともコピーの可不可に関する情報を含むコピー制御情報を有するコンテンツの記録方法において、
前記コンテンツをユーザ読み出し不可能な第１の記録媒体に格納し、
前記コンテンツの前記コピー制御情報を判別し、
コピー可能であれば、前記第１の記録媒体はユーザ読み出し可能な第２の記録媒体に前記コンテンツを転送し、
コピー不可能であれば、前記第１の記録媒体は前記第２の記録媒体へ前記コンテンツを転送しないことを特徴とする記録方法。
【発明の詳細な説明】
【０００１】
【発明の属する技術分野】
放送コンテンツを受信する放送受信機に関し、特に放送コンテンツを記録する記録手段を備えた放送受信機に関する。
【０００２】
【従来の技術】
近年のデジタル技術の発展とともに、デジタル放送における映像や音声などのコンテンツの不正コピーが増加し、著作権の保護が重要になっている。
【０００３】
従来、この不正を防止するために、アナログインターフェイス用のコピー制御システムとしてマクロビジョン（マクロビジョンは米国MacroVision社の商標である）、ＣＧＭＳ（Copy Generation Management System）−Ａ、などが存在する。
【０００４】
マクロビジョンは、市販のビデオソースや衛星放送などで広く用いられているコピーガードシステムで、ビデオデッキのＡＧＣ（Automatic Gain Control）を誤動作させることにより、出力ソースを正常に録画できないようにするコピー制御方式である。
【０００５】
ＣＧＭＳ−Ａは、「コピー可」、「１世代だけコピー可」、「コピー不可」といったコピー制御情報をコンテンツに埋め込んで出力するコピー制御方式である。  一方、デジタルビデオなどへのデジタル出力の場合、ＤＴＣＰ（Digital Transmission Copy Protection）などが用いられている。
【０００６】
ＤＴＣＰは、ＩＥＥＥ−１３９４（Institute of Electrical and Electronics Engineers 1394）を使って接続したデジタルデバイス間で、データを暗号化してやりとりする規格であり、コピー制御情報をやりとりする機能も備わっているので、コピーを禁止したり１世代のみ許可したりといった制御も可能である。
【０００７】
コンテンツにはこれらのコピー制御情報が含まれ、放送受信機のコピー制御情報検出回路にて検出され、マイクロコントローラ（以下マイコン）によりコピーの可不可などが判別される。また、ＶＴＲ（Video Tape Recorder）などの再生機器から出力される信号もコピー制御情報を含む場合がある。
【０００８】
【発明が解決しようとする課題】
しかし、コピー制御情報の検出からコピーの可不可の判別まで、ノイズなどによる誤検出を防ぐため一定時間を要するものがあり、その間のコンテンツをＨＤＤ（Hard Disk Drive）などの記憶装置に記録させると、コピー制御情報の判別結果が確定する前の場合、コピー不可のものまでを記録してしまうという問題があった。逆に、判別結果が確定した後に記録を開始すると、ユーザが記録したい映像シーンや、音声、データのコンテンツを逃してしまうという問題があった。
【０００９】
また、前述のＣＧＭＳ−Ａやマクロビジョンなどのコピー制御システムが複数存在する場合において、いずれかのコピー制御情報検出回路で検出されマイコンでコピー不可が判別された場合、他のコピー制御情報検出回路は必要がないにもかかわらず、マイコンとの検出データの通信によりマイコンの処理能力を下げるとともに、検出を続けるためにコピー制御情報検出回路にて余分な電力を消費してしまうという問題があった。
【００１０】
また、複数のコピー制御システムが存在する場合において、コピー情報検出に優先度がないと常に全ての検出及び判別を行うことになるため処理が冗長になるという問題があった。
【００１１】
本発明はこのような点に鑑みてなされたものであり、コピーの許可が確定するまで、放送コンテンツを再生することが不可能な放送受信機を提供することを目的とする。
また、本発明の他の目的は、コピーの許可が確定するまで、放送コンテンツを再生することが不可能な記録方法を提供することである。
【００１２】
【課題を解決するための手段】
本発明では上記課題を解決するために、コンテンツを記録する記録手段を備えた放送受信機において、ユーザによる前記コンテンツの記録命令を受信する入力手段と、前記コンテンツを受信するコンテンツ受信手段と、前記コンテンツより、少なくとも前記コンテンツのコピーの可不可に関する情報を含むコピー制御情報を検出するコピー情報検出手段と、前記コピー制御情報より、前記コンテンツのコピーの可不可を判別し、コピー可能と判定された時点で転送命令を送出する判別手段と、前記記録命令に応じて前記コンテンツを記録し、前記転送命令がなされたときのみ前記コンテンツを出力するユーザ読み出し不可能な第１の記録手段と、前記転送命令に応じて前記第１の記録手段から転送される前記コンテンツを受信して記録するユーザ読み出し可能な第２の記録手段とを有することを特徴とする放送受信機が提供される。
【００１３】
上記構成によれば、記録命令に応じて第１の記録手段に記録されたコンテンツは、コピー可の判断がなされるまで、ユーザ読み出し可能な第２の記録手段に転送されない。
【００１４】
また、少なくともコピーの可不可に関する情報を含むコピー制御情報を有するコンテンツの記録方法において、前記コンテンツをユーザ読み出し不可能な第１の記録媒体に格納し、前記コンテンツの前記コピー制御情報を判別し、コピー可能であれば、前記第１の記録媒体はユーザ読み出し可能な第２の記録媒体に前記コンテンツを転送し、コピー不可能であれば、前記第１の記録媒体は前記第２の記録媒体へ前記コンテンツを転送しないことを特徴とする記録方法が提供される。
【００１５】
上記方法によれば、記録命令に応じてユーザ読み出し不可能な第１の記録手段に記録されたコンテンツは、コピー可の判断がなされるまで、ユーザ読み出し可能な第２の記録手段に転送されない。
【００１６】
【発明の実施の形態】
以下本発明の実施の形態を図面を参照して説明する。
図１は本発明の実施の形態の放送受信機の構成図である。
【００１７】
放送受信機１は、ユーザによるリモートコントローラ（以下リモコンとする）２ａ入力などにより、コンテンツの記録または再生命令などを受信する入力手段２と、コンテンツを受信するコンテンツ受信手段３と、コンテンツより、少なくともコンテンツのコピーの可不可に関する情報を含むコピー制御情報を検出するコピー情報検出手段４と、コピー制御情報より放送コンテンツのコピーの可不可を判別する判別手段５と、記録命令に応じて放送コンテンツを記録するユーザ読み出し不可能な記録手段６と、コピー可能な場合のみ記録手段６よりコンテンツを受信するユーザ読み出し可能な記録手段７と、コンテンツ受信手段３または記録手段７の何れかを選択して放送コンテンツを表示装置８ａに出力させる信号出力制御手段８とから構成される。
【００１８】
以下、放送受信機１の動作を説明する。
コンテンツ受信手段３で、放送局から提供される放送コンテンツまたは、ＶＴＲ（Video Tape Recorder）などの外部機器から入力されるコンテンツを受信すると、コピー情報検出手段４を介して信号出力制御手段８で、受信したコンテンツを表示装置８ａに出力し、コンテンツを再生する。
【００１９】
このとき、ユーザによるリモコン２ａ操作などでコンテンツを記録する旨の入力がなされると、入力手段２でこの信号を受信し、コンテンツを受信する信号出力制御手段８は、記録手段６にコンテンツを転送する、記録手段６はユーザ読み出し不可能であり、ここに格納されたコンテンツの内容は参照できない。なお、このとき信号出力制御手段８は、表示装置８ａにコンテンツを出力してもよい。
【００２０】
コンテンツ受信手段３で受信するコンテンツには、不正コピーを防止するためのコピーの可不可に関する情報を含むコピー制御情報が含まれている。これをコピー情報検出手段４で検出し、判別手段５に転送する。
【００２１】
判別手段５では、受信したコピー制御情報を参照して、受信したコンテンツがコピー可能か、不可能かを判別する。ここで、コピーが可能と判別された時点で、記録手段６に記録手段７へのコンテンツの転送命令を送信し、記録手段６は、記録手段７にコンテンツを転送する。また、コピーが不許可と判別された場合、記録手段６から記録手段７へのコンテンツの転送は行われず、例えば、記録手段６に記録された内容を消去する。
【００２２】
記録手段７は信号出力制御手段８にコンテンツを出力可能であり、ユーザによるリモコン２ａ入力などによって記録されたコンテンツの再生命令がなされた場合、入力手段２によりそれを受信し、信号出力制御手段８は、記録手段７に格納されているコンテンツを表示装置８ａに表示する。
【００２３】
図２はコンテンツの記録の際の処理を示すフローチャートである。
ユーザによるコンテンツの記録命令がなされると、信号出力制御手段８は、ユーザ読み出し不可能な記録手段６へコンテンツを記録する（Ｓ１）。次にコピー情報検出手段４で検出されたコンテンツに付随するコピー制御情報が判別手段５でコピーの可不可が判別され、コピー可の場合はステップＳ３に進み、コピー不可の場合は処理を終了する（Ｓ２）。コピー可と判断された場合、ユーザ読み出し不可能な記録手段６に記録されたコンテンツはユーザ読み出し可能な記録手段７へ転送され、処理を終了する（Ｓ３）。
【００２４】
上記のように、コンテンツに付随するコピー制御情報をコピー情報検出手段４で検出し、コンテンツのコピーの可不可を判別手段５で判別し、ユーザ読み出し不可能な記録手段６に記録されたコンテンツを、コピー可能な場合のみユーザ読み出し可能な記録手段７に転送することで、コピー可のコンテンツを遅れなく記録することができる。
【００２５】
また、コピー不可のコンテンツをユーザ読み出し可能な記録手段７に記録することを防止できる。
以下本発明の実施の形態の詳細を説明する。
【００２６】
図３は本発明の実施の形態のデジタル放送受信機のハードウェア構成図である。
本発明の実施の形態のデジタル放送受信機１０は、ユーザによるリモコン２０操作により入力される命令を受信するリモコン受信部１１と、ＶＴＲなどアナログの外部入力信号を受信する外部信号入力部１２と、デジタル放送を受信するデジタル放送受信部１３と、外部信号入力部１２、デジタル放送受信部１３及びリモコン受信部１１からの信号を受信するＣＰＵ（Central Process Unit）１４と、ＣＰＵ１４の制御により動作するユーザ読み出し不可能な記録装置１５と、記録装置１５に接続されたユーザ読み出し可能な記録装置１６と、ＣＰＵ１４の命令によって動作し、転送されたコンテンツを記録装置１６または図示しないモニタなどへ出力する信号出力制御部１７と、から構成される。
【００２７】
さらに、外部信号入力部１２は、外部入力信号を受信するローパスフィルタ（ＬＰＦ）１２ａと、ＡＤ（Analog Digital）コンバータ１２ｂと、が直列に接続され、ＡＤコンバータ１２ｂと並列に接続されるコピー情報検出部１２ｃ、１２ｄとから構成される。また、ＡＤコンバータ１２ｂは処理した信号を出力する出力先である信号出力制御部１７と接続される。また、コピー情報検出部１２ｃ、１２ｄは検出したコピー制御情報を出力する出力先であるＣＰＵ１４と接続される。
【００２８】
また、デジタル放送受信部１３は、図示しないチューナなどからなるフロントエンド部１３ａと、ＴＳ（Transport Stream）信号の多重化を解くデマルチプレクサ部１３ｂ、符号化データの復号を行うデコーダ部１３ｃとが直列に接続されている構成からなる。また、デマルチプレクサ部１３ｂは、ここで分離され検出されたコピー制御情報を出力する出力先であるＣＰＵ１４と接続される。
【００２９】
以下に各部の機能を説明する。
リモコン受信部１１は、リモコン２０によって入力されるユーザからの命令を赤外線により受信し、ＣＰＵ１４で処理可能なデータ形式に変換する。
【００３０】
外部信号入力部１２を説明する。
ＬＰＦ１２ａは図示しないＶＴＲなどの外部機器から、コンテンツをアナログ信号で受信し、高周波のノイズを除去する。ＬＰＦ１２ａで処理されたアナログ信号はＡＤコンバータ１２ｂ、コピー情報検出部１２ｃ、１２ｄに伝送される。ＡＤコンバータ１２ｂでは、アナログ信号をデジタル信号に変換し、信号出力制御部１７に伝送する。また、コンテンツに付随してくるコピー制御情報はコピー情報検出部１２ｃ、１２ｄで検出する。検出されたコピー制御情報はＣＰＵ１４に伝送される。
【００３１】
アナログのコピー制御システムとしてＣＧＭＳ−Ａや、マクロビジョンなどがあり、コピー情報検出部１２ｃ、１２ｄはそれぞれ異なるコピー制御システムに対応している。
【００３２】
デジタル放送受信部１３を説明する。
フロントエンド部１３ａはＲＦ（Radio Frequency）信号の受信及び復調などを行う。デマルチプレクサ部１３ｂは多重化されたＴＳ信号を分離する機能を持つ。ここで、多重化されたＴＳ信号から、コピー制御情報の抽出なども行われる。分離された音声や映像信号は、デコーダ部１３ｃによりデコードされ、信号出力制御部１７に出力される。なお、抽出されたコピー制御情報はＣＰＵ１４に伝送される。
【００３３】
ＣＰＵ１４は、外部信号入力部１２またはデジタル放送受信部１３から伝送されるコピー制御情報を読み取り、受信したコンテンツはコピー可かコピー不可かを判断する。さらにユーザの入力に応じて、信号出力制御部１７の出力選択を制御する。
【００３４】
記録装置１５はユーザ読み出し不可能な記録装置であり、半導体メモリなどが用いられる。また、ハードディスクを用いて読み出し不可能な領域を設けてもよい。
【００３５】
ユーザからコンテンツの記録命令がなされた場合、信号出力制御部１７から記録データとして転送されるコンテンツを、一時的に記録する機能を持つ。ここで、記録されたコンテンツは、ＣＰＵ１４による記録装置１６への転送命令がなされた場合のみ記録装置１６へ、記録したコンテンツを転送する。
【００３６】
記録装置１６はユーザ読み出し可能な記録装置であり、ハードディスクなどが用いられる。
また、記録装置１６はユーザ読み出し不可能な記録装置１５と接続されており、コピー可の場合のみ、ＣＰＵ１４の命令を受けた記録装置１５から、コンテンツを受信する。また、ユーザより記録した放送コンテンツの再生命令がなされた場合は、信号出力制御部１７による出力選択により、記録してあるコンテンツを信号出力制御部１７に出力する。
【００３７】
信号出力制御部１７は、外部信号入力部１２及びデジタル放送受信部１３から、コンテンツを受信し、ＣＰＵ１４の命令に従って、図示しないモニタなどに出力する信号を選択する。また、ユーザによりコンテンツの記録命令がなされた場合、ＣＰＵ１４の制御のもと、受信したコンテンツの信号を記録データとして記録装置１５に転送する。また、ユーザによりコンテンツの再生命令がなされた場合、ＣＰＵ１４の制御のもと、記録装置１６に記録されているコンテンツの信号を再生データとして読み込み、図示しないモニタなどに出力する機能を持つ。
【００３８】
以下、デジタル放送受信機１０の動作を説明する。
デジタル放送の視聴時、フロントエンド部１３ａで受信したデジタル放送は、デマルチプレクサ部１３ｂで分離され、分離された音声及び映像信号はデコーダ部１３ｃでデコードされ、信号出力制御部１７に転送される。その後、図示しないモニタなどの表示装置に出力される。
【００３９】
また、デジタル放送受信機１０に、ビデオ端子などによって、接続されるＶＴＲなどからのコンテンツのアナログ信号を受信した場合、ローパスフィルタ１２ａで高周波のノイズが除去され、処理されたデータは、ＡＤコンバータ１２ｂでデジタル信号に変換され、信号出力制御部１７に転送される。その後、図示しないモニタなどの表示装置に出力される。
【００４０】
ユーザによるリモコン２０操作などで、コンテンツの記録命令がなされた場合、リモコン受信部１１ではその旨の信号をＣＰＵ１４に送信する。ＣＰＵ１４は信号出力制御部１７を制御して、信号出力制御部１７に転送されたコンテンツの信号を記録データとして記録装置１５に転送する。これとともに、デジタル放送視聴時はデマルチプレクサ部１３ｂで抽出されたコンテンツのコピー制御情報を、外部信号入力部１２から入力されたアナログのコンテンツの場合はコピー情報検出部１２ｃ、１２ｄで検出されたコピー制御情報を受信したＣＰＵ１４は、コピー制御情報を判別し、受信したコンテンツがコピー可能なものかコピー不可能なものかを判別する。ここで、コピー可能なものと判断された場合、ＣＰＵ１４は記録装置１５にコンテンツ記録命令を行い、一時的に記録されているコンテンツをユーザ読み出し可能な記録装置１６に転送する。コピー不可能と判断された場合は転送されない。
【００４１】
このように、記録装置１６に転送され記録されたコンテンツは再生可能であり、ユーザによるリモコン２０操作などにより、再生命令が入力された場合、リモコン受信部１１でその旨の信号を受信し、ＣＰＵ１４に転送され、ＣＰＵ１４の制御のもと信号出力制御部１７は出力選択により記録装置１６に記録されたコンテンツの信号を信号出力として出力する。
【００４２】
このように、コンテンツ記録命令がなされたとき、ユーザ読み出し不可能な記録装置に一時記録し、コンテンツに付随するコピー制御情報を検出してコピーの可不可を判別し、コピー可能な場合のみユーザ読み出し可能な記録装置に転送することで、コピー可能なコンテンツを遅れなく記録することができる。
【００４３】
以下、外部信号入力部１２のコピー情報検出部１２ｃ、１２ｄの制御について説明する。
図４は、コピー情報検出部の制御の様子を示した図である。
【００４４】
図のように、ＣＰＵ１４からそれぞれのコピー情報検出部１２ｃ、１２ｄに制御用の制御線、若くはＩ2Ｃ―ｂｕｓ（Ｉ2Ｃ―ｂｕｓはPHILIPS ELECTRONICS N.V.の商標である）などの共用バスが接続されている構造からなる。これにより、ＣＰＵ１４はコピー情報検出部１２ｃ、１２ｄの動作のスタート、ストップを制御する。
【００４５】
以下、外部信号入力部１２に入力されたコンテンツにおいて、ＣＰＵ１４によるコピー情報検出部１２ｃ、１２ｄの制御を含んだ記録方法を説明する。
図５は、記録方法の処理を示すフローチャートである。
【００４６】
Ｓ１０：記録開始または記録中か否かの判断
ＣＰＵ１４はユーザによるリモコン２０操作により、外部信号入力部１２に入力されたコンテンツの記録命令がなされたかまたは記録中であるか否かを判断する。
【００４７】
ここで、記録開始若しくは記録中の場合はステップＳ１１に進み、ユーザによる記録命令がなされていない場合は処理を終了する。
Ｓ１１：ユーザ読み出し不可能な記録装置に記録
外部信号入力部１２に入力されたコンテンツを、信号出力制御部１７はＣＰＵ１４の制御のもと、ユーザ読み出し不可能な記録装置１５に記録する。
【００４８】
Ｓ１２：コピー制御が確定するまで待機
ＣＰＵ１４ではコピー情報検出部１２ｃで検出されたコピー制御情報をもとに、コンテンツのコピーの可不可を判別する。コピーの可不可に関する判断には一定時間かかるので判断が確定するまで待機し、確定するとステップＳ１３に進む。
【００４９】
Ｓ１３：１番目のコピー情報検出部でコピーがＯＫか否かの判断
例えば、ＣＧＭＳ−Ａとマクロビジョンのコピー制御システムを比較した場合、ＣＧＭＳ−Ａのコピー制御情報の判断が早く終了するので、１番目のコピー検出部１２ｃとする。このとき、ステップＳ１２でＣＰＵ１４が、コピー情報検出部１２ｃで検出したコピー制御情報を判断した結果が、コピー可であれば、ステップＳ１４に進み、コピー不可であればステップＳ１９に進む。
【００５０】
Ｓ１４：２番目のコピー情報検出部がオンか否かの判断
ＣＰＵ１４はコピー情報検出部１２ｃと異なるコピー制御システムに対応するコピー情報検出部１２ｄが動作しているか否かの判断を行う。
【００５１】
ここで、動作していれば、ステップＳ１６に進み、動作していなければ、ステップＳ１５に進む。
Ｓ１５：２番目のコピー情報検出部をオン
ステップＳ１４でコピー情報検出部１２ｄが動作していないと判断されたので、ＣＰＵ１４はコピー情報検出部１２ｄの動作を開始させる。例えば、コピー情報検出部１２ｄがマクロビジョンに対応している場合は、マクロビジョン信号の検出を開始する。その後ステップＳ１６に進む。
【００５２】
Ｓ１６：２番目のコピー情報検出部でコピーがＯＫか否かの判断
ここでは、ＣＰＵ１４はコピー情報検出部１２ｄで検出されたコピー制御情報より、外部信号入力部１２に入力されたコンテンツがコピー可のコンテンツか否かを判断し、コピー可の場合はステップＳ１７に進み、コピー不可の場合はステップＳ２０に進む。
【００５３】
Ｓ１７：ユーザ読み出し可能な記録装置にコピー
ステップＳ１６までの処理で、外部信号入力部１２に入力されたコンテンツの信号はコピー可であると判断されたので、ＣＰＵ１４の制御のもと、ユーザ読み出し不可能な記録装置１５に記録された、コンテンツの信号は、ユーザ読み出し可能な記録装置１６に転送され、記録される。その後ステップＳ１８に進む。
【００５４】
Ｓ１８：コピー可のメッセージを表示
ステップＳ１６までの処理で、外部信号入力部１２に入力されたコンテンツの信号はコピー可であると判断されたので、ＣＰＵ１４の制御のもと図示しないモニタなどの表示装置にコピーが可能である旨のメッセージを表示する。その後処理を終了する。
【００５５】
Ｓ１９：２番目のコピー情報検出部の停止
ステップＳ１３で、コピー情報検出部１２ｃで検出されたコピー制御情報をＣＰＵ１４が分析した結果、外部信号入力部１２に入力されたコンテンツはコピー不可と判断されたのを受けて、コピー情報検出部１２ｄは動作する必要がないので、ＣＰＵ１４はストップ信号を送信し、コピー情報検出部１２ｄの動作を停止する。
【００５６】
Ｓ２０：コピー不可のメッセージ表示
ステップＳ１３またはステップＳ１６により、コンテンツのコピーが不可と判断されたので、ＣＰＵ１４の制御のもと図示しないモニタなどの表示装置に、コピーが不可能である旨のメッセージを表示し、その後処理を終了する。
【００５７】
上記のように、ＣＰＵ１４で、検出したコピー制御情報の判断結果に従って、コピー情報検出部１２ｃ、１２ｄの動作を制御するようにしたため、複数のコピー制御システムが存在する場合において、コピー制御情報検出の必要がないコピー情報検出部の動作を停止でき、マイコンとの検出データの通信によりマイコンの処理能力を上げるとともに、コピー情報検出部における電力消費を削減することができる。
【００５８】
また、複数のコピー制御システムが存在する場合において、コピー情報検出に優先度を設けたため、検出及び判別の処理を簡潔に行うことができる。
なお、上記ではコピー情報検出部１２ｃのコピー制御情報の判断を優先させたが、これに限定されることはない。
【００５９】
また、上記では、外部信号入力部１２に入力されたコンテンツについてのコピー情報検出部の制御の優先度について説明したが、デジタル放送受信部１３をあわせた場合についても優先度を決定して記録動作を行うようにしてもよい。
【００６０】
また、上記ではコピー情報検出部１２ｃ、１２ｄと２つ設けたが、これ以上で設けて、３種以上のコピー制御システムに対応するようにしてもよい。
また、上記ではユーザ読み出し可能な記録装置１６はデジタル放送受信機１０内に設けたが、ユーザ読み出し不可能な記録装置１５とｉ．Ｌｉｎｋ（ｉ．Ｌｉｎｋはソニー株式会社の登録商標である）を介して接続された外部機器であってもよい。
【００６１】
また、上記では、デジタル放送受信機１０で受信するコンテンツのストリームをＴＳとしたが、これに限定されることはなく、ＴＳ以外のストリームでもデマルチプレクサ１３ｂに入力することにより、同様のコピー制御が可能である。
【００６２】
【発明の効果】
以上説明したように本発明では、コンテンツに付随するコピー制御情報によるコピーの可不可をコピー情報検出手段で検出し、判別手段で判別し、ユーザ読み出し不可能な記録手段に記録されたコンテンツを、コピー可能な場合のみユーザ読み出し可能な記録手段に転送することで、コピー可のコンテンツを遅れなく記録することができる。
【００６３】
また、コピー不可のコンテンツをユーザ読み出し可能な記録手段に記録することを防止できる。
【図面の簡単な説明】
【図１】本発明の実施の形態の放送受信機の構成図である。
【図２】記録方法を示すフローチャートである。
【図３】デジタル放送受信機のハードウェア構成図である。
【図４】コピー情報検出部の制御の様子を示した図である。
【図５】記録方法を示すフローチャートである。
【符号の説明】
１……放送受信機、２……入力手段、２ａ……リモコン、３……コンテンツ受信手段、４……コピー情報検出手段、５……判別手段、６……記録手段、７……記録手段、８……信号出力制御手段、８ａ……表示装置
【図１】
0003736473.tif 000002
【図２】
0003736473.tif 000003
【図３】
0003736473.tif 000004
【図４】
0003736473.tif 000005
【図５】
0003736473.tif 000006